(57)【要約】【課題】  光源の点灯に伴って斬新な表現が可能な表示部材及び表示装置を提供する。【解決手段】  導光文字板１０は、内壁入光部１１１ａから取り込んだ第１の光Ｌａを導く面状の導光部１１と、導光部１１の表面側に形成され、第１の意匠を表す遮光部１２ａを有する意匠表示部１２と、導光部１１と意匠表示部１２との間に形成され、導光部１１よりも光の屈折率が低い第１の低屈折率部１３と、導光部１１の裏面側に形成され、導光部１１が導く光を拡散し、前記第１の意匠とは異なる色の背景を表す地部１４と、導光部１１と地部１４との間に形成され、地部１１とともに光の出射効率を変化させる光調整部１５ａと前記第１の意匠とは異なる第２の意匠を表す模様部１５ｂとを有する第２の低屈折率部１５と、を備えてなる。【選択図】  図５
2015011827.tif 000002
【特許請求の範囲】
【請求項１】
光源からの光を内部に取り込む入光部を有し、前記入光部から取り込んだ光を導く面状の導光部と、
前記導光部の表面側に形成され、第１の意匠を表す第１の意匠部を有する意匠表示部と、
前記導光部と前記意匠表示部との間に形成され、前記導光部よりも光の屈折率が低い第１の低屈折率部と、
前記導光部の裏面側に形成され、前記導光部が導く光を拡散し、前記第１の意匠とは異なる色の背景を表す地部と、
前記導光部と前記地部との間に形成され、前記地部とともに光の出射効率を変化させる光調整部と前記第１の意匠とは異なる第２の意匠を表す第２の意匠部とを有する第２の低屈折率部と、を備えてなることを特徴とする表示部材。
【請求項２】
前記第２の意匠は、模様、記号あるいは絵の少なくとも何れかを含むことを特徴とする請求項１に記載の表示部材。
【請求項３】
前記第２の意匠部は、前記入光部側から遠のく方向に向かってその密度が低くなるように形成されてなることを特徴とする請求項１または請求項２に記載の表示部材。
【請求項４】
請求項１から３のいずれかに記載の表示部材と、光を出射する光源と、前記表示部材が有する前記第１の意匠部を指示する指針と、前記光源及び前記指針を制御する制御部を有する回路基板と、前記回路基板と前記表示部材との間に設けられ前記表示部材を支持するケース体と、を備えてなることを特徴とする表示装置。
【発明の詳細な説明】
【技術分野】
【０００１】
本発明は、光源から出射された光を導光部にて導いて意匠表示部等を照明する表示部材と、この表示部材を備える表示装置に関するものである。
【背景技術】
【０００２】
従来の表示部材は、例えば特許文献１に開示されており、光源から出射された光を導光し、表面に印刷された遮光層の切り欠き箇所で形成される光透過出射部から光を出射することで、所定の意匠を表示する導光板であって、意匠表示部に対応した箇所に光拡散部を設け、この光拡散部により光透過出射部に対応した箇所のみ光を拡散することで光透過出射部から光を出射し、光透過出射部に対応しない箇所では光を拡散させないことで光透過出射部以外から光を出射させないようにし、少ない光源であっても効率よく光を導光部内で導光させ、光源から離れた意匠でも明るく表示させるものである。
また、特許文献２には、光透過出射部に対応する領域内に、光拡散部と光調整用低屈折率部とによって構成され、光の出射効率を変化させる表示光調整部を備えるものが開示されている。
【先行技術文献】
【特許文献】
【０００３】
【特許文献１】特開２０１１−２３７６９２号公報
【特許文献２】特開２０１２−１３６１９９号公報
【発明の概要】
【発明が解決しようとする課題】
【０００４】
しかしながら、従来の表示部材は、単に光源の点灯に伴って暗色の背景に光透過出射部で構成される意匠が透過照明されるのみであって、光源の点灯に伴う変化が単調であって斬新な表現を実現する点でなお改良の余地があった。
【０００５】
そこで本発明は、上記問題点を解消し、光源の点灯に伴って斬新な表現が可能な表示部材及び表示装置を提供することを目的とする。
【課題を解決するための手段】
【０００６】
前述した課題を解決するために、本発明の表示部材は、
光源からの光を内部に取り込む入光部を有し、前記入光部から取り込んだ光を導く面状の導光部と、
前記導光部の表面側に形成され、第１の意匠を表示する第１の意匠部を有する意匠表示部と、
前記導光部と前記意匠表示部との間に形成され、前記導光部よりも光の屈折率が低い第１の低屈折率部と、
前記導光部の裏面側に形成され、前記導光部が導く光を拡散し、前記第１の意匠とは異なる色の背景を表す地部と、
前記導光部と前記地部との間に形成され、前記地部とともに光の出射効率を変化させる光調整部と前記第１の意匠とは異なる第２の意匠を表す第２の意匠部とを有する第２の低屈折率部と、を備えてなることを特徴とする。
【０００７】
また、本発明の表示装置は、前記表示部材と、光を出射する光源と、前記表示部材が有する前記第１の意匠部を指示する指針と、前記光源及び前記指針を制御する制御部を有する回路基板と、前記回路基板と前記表示部材との間に設けられ前記表示部材を支持するケース体と、を備えてなることを特徴とする。
【発明の効果】
【０００８】
本発明によれば、光源の点灯に伴って斬新な表現が可能となる。
【図面の簡単な説明】
【０００９】
【図１】本発明の第１実施形態における表示装置の分解斜視図である。
【図２】上記実施形態における導光文字板の正面図である。
【図３】上記実施形態における表示装置の正面図である。
【図４】上記実施形態におけるケース体の正面図である。
【図５】上記実施形態における表示装置の断面図であり、図３のＡ−Ａ断面図である。
【図６】上記実施形態における導光体の説明図であり、（ａ）は導光体の斜視図であり、（ｂ）は表示装置に組み込んだ際の導光体の断面図であり、（ｃ）は導光体の文字板方向反射部の形状を説明した図である。
【図７】上記実施形態における表示装置の拡大断面図である。
【図８】上記実施形態における導光文字板の正面図であり、（ａ）は第１光源が非点灯時の視認状態を示す図であり、（ｂ）は第１光源が点灯時の視認状態を示す図である。
【図９】本発明の第２の意匠部の別例である模様部を示す図である。
【図１０】本発明の第２の意匠部の別例である模様部を示す図である。
【図１１】本発明の第２の意匠部の別例である絵部を示す図である。
【発明を実施するための形態】
【００１０】
以下に、本発明を車両に搭載される表示装置に適用した実施形態を、図面を用いて説明する。図１は、本実施形態である表示装置１の分解斜視図である。表示装置１は、導光文字板１０と、ケース体２０と、導光体３０と、指針４０と、回路基板５０と、光源６０と、ムーブメント７０と、装飾部材８０と、表示器９０と、から構成され、車両側から出力される車速やエンジン回転数等の車両情報を示す車両信号に基づき、指針４０が回動するものである。また、光源６０の発する光により、導光文字板１０と指針４０が光輝する。
【００１１】
（導光文字板（表示部材））
まず、導光文字板（表示部材）１０について、図２及び図３を用いて説明する。図２は、導光文字板１０の正面図であり、図３は、表示装置１の正面図である。
【００１２】
導光文字板１０は、後述するムーブメント７０に設けられた指針軸７１を挿入する指針軸挿通孔１１１と、後述するケース体２０に設けられた第１遮光壁２３を挿入する第１挿入部１１２と、後述するケース体２０に設けられた第２遮光壁２４を挿入する第２挿入部１１３と、を有する。
【００１３】
導光文字板１０が後述するケース体２０（図４参照）の載置部２２に載置されると、第１挿入部１１２には第１遮光壁２３が挿入され、第２挿入部１１３には第２遮光壁２４が挿入される。
導光文字板１０の前面側からは、指針軸挿通孔１１１を挿通する指針軸７１に指針４０が嵌合され、さらに第１挿入部１１２（及びこれに挿入された第１遮光壁２３）と第２挿入部１１３（及びこれに挿入された第２遮光壁２４）とを覆うようにリング状の装飾部材８０が取り付けられることで、導光文字板１０は表示装置１内に組み付けられる（図３）。
なお、本明細書において、導光文字板１０における第１挿入部１１２及び第２挿入部１１３により区画される領域を内側表示領域Ｅ１とし、第１挿入部１１２及び第２挿入部１１３の外側の領域を外側表示領域Ｅ２と、表現するものとする。
導光文字板１０は、第１挿入部１１２により指針軸挿通孔１１１を中心として全周を区画することはなく、第１挿入部１１２それぞれの間に連結部１１２ａを有する。これにより導光文字板１０の内側表示領域Ｅ１と外側表示領域Ｅ２とを連続した部材で構成できる。
【００１４】
導光文字板１０は、内側表示領域Ｅ１においては第１光源６１から出射され導光文字板１０内を進行する第１の光Ｌａが暗色の目盛や数字等（第１の意匠）を表す指標部（第１の意匠部）１０１を除いた背景部１０２から出射され、背景部１０２を光輝させる。また、外側表示領域Ｅ２においては導光文字板１０の裏面に配設される第２光源６２から出射される第２の光Ｌｂがシートベルトのインジケーターを表す第１警告部１０３を光輝させる。また、内側表示領域Ｅ１にはサイドブレーキのインジケーターを表す第２警告部１０４が設けられており、導光文字板１０の裏面に配設される第３光源６３から出射される第３の光Ｌｃが第２警告部１０４を光輝させる。また、内側表示領域Ｅ１には導光文字板１０の裏面に配設される表示器９０の表示を視認可能とする透光性の表示窓１０５が設けられている。導光文字板１０は、これら目盛部１０１、第１警告部１０３、第２警告部１０４及び表示窓１０５により視認者に情報を伝達する。なお、導光文字板１０の表示装置１における作用と、具体的な構成については、後に説明する。
【００１５】
（ケース体）
つづいて、図４，図５を用いて本実施形態におけるケース体２０を説明する。図４は、ケース体２０の正面図であり、図５は、本実施形態における表示装置１の断面図であり、図３のＡ−Ａ断面図である。
【００１６】
ケース体２０は、例えば白色の合成樹脂材料からなり、導光文字板１０と後述する回路基板５０との間に配設され、導光文字板１０を支持固定するものである。
ケース体２０は、図４に示すように、第１光源６１及び導光体３０を区画する貫通孔からなる第１仕切り部２１と、導光文字板１０を載置する載置部２２と、第１仕切り部２１を中心として円弧状に形成され、載置部２２より表側（視認者側）に突設した第１遮光壁２３と、この第１遮光壁２３同士の間の隙間である切り欠き部２３ａと、切り欠き部２３ａの隙間を阻むように配設された第２遮光壁２４と、外側表示領域Ｅ２に配設される第２光源６２を区画する貫通孔からなる第２仕切り部２５と、内側表示領域Ｅ１に配設される第３光源６３を区画する貫通孔からなる第３仕切り部２６と、液晶パネルなどの表示器９０を挿入する貫通孔からなる表示器装着孔２７と、を有するものである。
【００１７】
第１仕切り部２１は、図５に示すように、貫通孔で形成され、第１光源６１及び導光体３０を区画するものであり、第１光源６１から発せられる光及び導光体３０から漏れた光を反射するものである。
【００１８】
載置部２２は、導光文字板１０及び回路基板５０と略平行になるように形成され、導光文字板１０の裏面と接触した状態で導光文字板１０を保持するものである。また、載置部２２は、導光文字板１０の裏面側から漏れる第１の光Ｌａを反射し、導光文字板１０内に第１の光Ｌａとして戻し、導光文字板１０内を進行する第１の光Ｌａが内側表示領域Ｅ１以外から抜けてしまうのを防止する。
【００１９】
第１遮光壁２３は、第１仕切り部２１を中心として円弧状に形成され、載置部２２より表側に突設し、導光文字板１０の第１挿入部１１２に挿入されるものである。
【００２０】
第１遮光壁２３は、図５に示すように、導光文字板１０内を進行する第１の光Ｌａを反射光Ｌｄとして反射する第１の反射面２３ｐを有する。第１の反射面２３ｐは、第１の光Ｌａを反射光Ｌｄとして導光文字板１０の方向へ反射し、この反射光Ｌｄが内側表示領域Ｅ１から出射されることにより、内側表示領域Ｅ１をより明るく光輝させることができる。
【００２１】
切り欠き部２３ａは、第１遮光壁２３同士の間の隙間であり、この切り欠き部２３ａを設けることにより、導光文字板１０に連結部１１２ａを設けることができ、導光文字板１０において、内側表示領域Ｅ１と外側表示領域Ｅ２とを連結部１１２ａにより連結させることができる。
【００２２】
第２遮光壁２４は、ケース体２０の切り欠き部２３ａの隙間を阻むように配設されたものであり、載置部２２より視認者側に突設し、導光文字板１０の第２挿入部１１３に挿入されるものである。第２遮光壁２４は、導光文字板１０内を進行する第１の光Ｌａを反射光Ｌｄとして反射する第２の反射面（図示しない）を有する。
【００２３】
第２仕切り部２５は、導光文字板１０の外側表示領域Ｅ２に設けられた第１警告部１０３を照明する第２光源６２を区画する貫通孔で形成されるものであり、第２光源６２からの第２の光Ｌｂを導光文字板１０の方向へ反射するものである。
【００２４】
第３仕切り部２６は、導光文字板１０の内側表示領域Ｅ１に配設された第２警告部１０４を照明する第３光源６３を区画する貫通孔で形成されるものであり、第３光源６３からの第３の光Ｌｃを導光文字板１０の方向へ反射するものである。
【００２５】
表示器装着孔２７は、液晶パネルなどの表示器９０を挿入する貫通孔で形成されるものである。
【００２６】
（導光体）
つづいて、図６を用いて、導光体３０を説明する。
図６（ａ）は、本実施形態における導光体３０の斜視図であり、図６（ｂ）は、本実施形態における表示装置１の断面図である。
導光体３０は、後述する第１光源６１を収納する収納部３１と、第１光源６１の光の一部を、導光文字板１０の内壁入光部１１１ａの方向へ第１の光Ｌａとして反射する文字板方向反射部３２と、第１光源６１の光の一部を、指針４０の方向へ第４の光Ｌｅとして出射する指針方向出射部３３と、文字板方向反射部３２で反射された第１の光Ｌａを導光文字板１０の内壁入光部１１１ａに出射する文字板方向出射部３４と、後述する指針軸７１が挿通する指針軸挿通部３５と、を備えるものであり、第１光源６１の光を、導光文字板１０と、指針４０とに導くものである。
【００２７】
収納部３１は、第１光源６１を覆う（所望の位置に収納する）ものであり、第１光源６１から発せられる光を逃すことなく、より多くの光を導光体３０内に取り込む。
【００２８】
文字板方向反射部３２は、図６（ｂ）に示すように、導光体３０の中心Ｏを軸とした双曲面などの曲面形状で形成され、収納部３１から入射した光を、第１の光Ｌａとして文字板方向出射部３４の方向へ反射する。本実施形態においては、文字板方向反射部３２は、導光体３０の中心Ｏを中心とし、略全方向に設けられているが、光を反射させたい領域によって、適宜、文字板方向反射部３２を設ける領域を限定してもよい。
また、文字板方向反射部３２は、図６（ｃ）に示すように、円錐状や角錐面状（六角錐面，八角錐面等）に形成してもよい。
【００２９】
指針方向出射部３３は、文字板方向反射部３２のうち、導光体３０内を進行する光が文字板方向反射部３２に入射した際の角度が臨界角以下であり、光が指針４０方向へ第４の光Ｌｅとして出射される箇所である。指針方向出射部３３から指針４０方向へ出射される第４の光Ｌｅの量は、文字板方向反射部３２の形状により、適宜調節される。
【００３０】
文字板方向出射部３４は、導光文字板１０の指針軸挿通孔１１１の内壁に設けられた内壁入光部１１１ａの面に対して略平行に配設され、文字板方向反射部３２が反射した第１の光Ｌａを内壁入光部１１１ａに向けて出射する箇所である。導光体３０の高さ方向である文字板方向出射部３４の厚さは、内壁入光部１１１ａの厚さと略同一となっている。斯かる構成により、導光体３０から導光文字板１０への光の伝達の際の光漏れを抑制し、効率よく意匠を照明することができる。
【００３１】
指針軸挿通部３５は、後述する指針軸７１が挿通する部分であり、導光体３０の中心Ｏに貫通孔として設けられる。斯かる構成により、文字板方向出射部３４を略全方向へ設けることができ、光源からの光を、指針軸挿通部３５を中心に導光文字板１０の略全方向に対し出射することができ、より広範囲の意匠を効率よく照明することができる。
なお、指針軸挿通部３５は、導光体３０の中心Ｏを中心とするものではなく、導光体３０の中心Ｏからオフセットした位置に設けられてもよい。
【００３２】
指針４０は、図５に示すように、指示部４１と、指針基部４２と、指針キャップ４３とから構成されている。指示部４１は、導光文字板１０の後述する指標意匠部１２１ａを指示し、第１光源６１からの第４の光Ｌｅを受けて光輝する。指針基部４２は、駆動ムーブメント７０に設けられた指針軸７１に固定される。この指針基部４２は指示部４１と透明な樹脂で一体に形成されている。指針キャップ４３は、遮光性の合成樹脂からなり、指針基部４２を覆うように具備されている。
【００３３】
回路基板５０は、光源６０やムーブメント７０を実装し、表示装置１の電気的な制御を行う制御部を有する。
【００３４】
光源６０は、回路基板５０に実装され、回路基板５０に対して垂直方向（表方向）に光を照射するトップビュー型からなる。光源６０は、導光体３０に光を出射する第１光源６１と、外側表示領域Ｅ２に配設され導光文字板１０の裏面から第１警告部１０３を照明する第２光源６２と、内側表示領域Ｅ１に配設され導光文字板１０の裏面から第２警告部１０４を照明する第３光源６３と、から構成される。
【００３５】
ムーブメント７０は、回路基板５０に実装され、指針４０が装着される指針軸７１を備えている。指針軸７１は、導光文字板１０の指針軸挿通孔１１１の略中心に位置して貫通するとともに、その先端部分に指針基部４２が装着される。
【００３６】
装飾部材８０は、導光文字板１０の前面側に配設され、図３，図５に示すように、導光文字板１０の第１挿入部１１２及び第２挿入部１１３を覆う遮光性のリング形状の部材である。装飾部材８０は、導光文字板１０内を進行する第１の光Ｌａが、第１挿入部１１２及び第２挿入部１１３から漏れ出てしまった際に、視認者にその漏れ出た光を視認させないようにするものであり、これによって照明の商品性を高めることができる。
【００３７】
以上が、本実施形態における表示装置１の構成である。次に、導光文字板１０の表示装置１における作用と具体的構成について説明する。
【００３８】
導光文字板１０は、図５に示すように、透光性の導光部１１と、この導光部１１の表面に指標部１０１を表示する意匠表示部１２と、導光部１１と意匠表示部１２との間に形成される第１の低屈折率部１３と、導光部１１の内側表示領域Ｅ１の裏面側に形成される地部１４と、導光部１１と地部１４との間に形成される第２の低屈折率部１５と、導光部１１の外側表示領域Ｅ２の裏面側に形成される遮光部１６と、を備える。
また、導光文字板１０は、図２に示すように、第１光源６１が出射する第１の光Ｌａを出射しない非透光性の指標部１０１と、第１光源６１が出射する第１の光Ｌａに照明されて光輝する背景部１０２と、導光文字板１０の裏面に配設される第２光源６２が出射する第２の光Ｌｂに照明されて光輝する第１警告部１０３と、導光文字板１０の裏面に配設される第３光源６３が出射する第３の光Ｌｃに照明されて光輝する第２警告部１０４と、表示器９０の表示を視認可能にする表示窓１０５と、を備え、これらによって視認者に対して所定の情報を提供する。
【００３９】
導光部１１は、透明又は半透明の透光性（半透光性を含む）を有する合成樹脂製の部材（例えばポリカーボネート板等）から形成される平板状の部材である。
導光部１１は、ムーブメント７０に設けられた指針軸７１が挿通し、指針４０の指針キャップ４３より径の小さい貫通孔である指針軸挿通孔１１１を有し、この指針軸挿通孔１１１の内壁である内壁入光部（入光部）１１１ａから第１光源６１が出射する第１の光Ｌａを取り込み、この内壁入光部１１１ａを中心として放射状に第１の光Ｌａを伝達するものである。
【００４０】
意匠表示部１２は、導光部１１の表面に設けられて所定の第１の意匠（文字、絵、図形、記号等）を表示する表示層であり、本実施形態においては第１の意匠として指針４０が指示する目盛や数字等を示す指標部１０１を構成する非透光性（遮光性）の遮光部１２ａと背景部１０２を構成する透光部１２ｂとにより構成される。
【００４１】
遮光部１２ａは、導光部１１表面に、黒色などの暗色の遮光性のインク等を用いて、印刷，塗装等により塗りつぶして形成される。本実施形態において、遮光部１２ａは黒色であるものとする。遮光部１２ａによって構成される指標部１０１は、第１光源６１の非点灯時及び点灯時のいずれにおいても視認者に視認される。指標部１０１は、透光部によって構成されるものであっても良いが、この場合、前記透光部を後述する地部１４とは異なる色に着色し、第１光源６１の非点灯時及び点灯時のいずれにおいても視認者に視認されるようにする。
【００４２】
透光部１２ｂは、意匠表示部１２のうち遮光部１２ａが形成されない部分であり、第１の意匠を表す指標部１０１を除いた背景部１０２となる部分である。なお、透光部１２ｂとして、無色透明のインクを印刷、塗装等してもよい。
透光部１２ｂは、上述したように、背景部１０２を構成する部分であり、導光文字板１０内を進行する第１光源６１が透光部１２ｂから出射するとともに遮光部１２ａで遮られることにより、指標部１０１を除く内側表示領域Ｅ１全体が光輝し、指標部１０１を視認者に対して表示する。
【００４３】
第１の低屈折率部１３は、導光部１１と意匠表示部１２との間に形成され、導光部１２の内側表示領域Ｅ１の表面全体を覆うように設けられる。第１の低屈折率部１３は、透明又は半透明の透光性（半透光性を含む）を有し、導光部１１よりも光の屈折率が低い合成樹脂等を用いて、印刷、塗装等によって形成される。
【００４４】
地部１４は、光拡散性を有する材料を用いて、印刷、塗装等によって導光部１１の内側表示領域Ｅ１の裏面側全体に設けられ、導光部１１が導光した第１の光Ｌａを拡散し内側表示領域Ｅ１の背景部１０２から出射する。地部１４は、指標部１０１を構成する遮光部１２ａと異なる色であって、白色やグレーなどの淡色の材料が用いられ、背景部１０２において指標部１０１とは異なる色の背景を表す。すなわち、視認者は背景部１０２の色として地部１４を視認する。なお、本実施形態においては、地部１４は白色であるものとする。また、地部１４は、第３光源６３と対向する個所に第２警告部１０４を構成する孔部１４ａが形成されている。また、地部１４は、表示器９０と対向する個所に表示窓１０５を構成する孔部（図示しない）が形成されている。
【００４５】
第２の低屈折率部１５は、導光部１１と地部１４との間に形成され、導光部１１の指針軸挿通孔１１１の近傍に設けられる光調整部１５ａと光調整部１５ａよりも外側に設けられ後述する模様（第２の意匠）を表す模様部（第２の意匠部）１５ｂとから構成されている。第２の低屈折率部１５は、透明又は半透明の透光性（半透光性を含む）を有し、導光部１１よりも光の屈折率が低い合成樹脂等を用いて、印刷、塗装等によって形成される。
【００４６】
ここで、導光部１１の内部に導かれた第１の光Ｌａは、第１の低屈折率部１３と導光部１１との界面、又は第２の低屈折率部１５と導光部１１との界面で、全反射する。全反射は、屈折率が大きい媒質（導光部１１）から小さい媒質（第１，第２の低屈折率部１３，１５）に光が入射しようとするときに、入射しようとする光が界面を透過せず、その全て（略全てを適宜含む）が反射する現象をいう。全反射は、光の入射角が、隣り合う媒質（ここでは、導光部１１と、第１，第２の低屈折率部１３，１５）の各屈折率により決まる所定角度（臨界角）よりも大きい場合に起こる。導光部１１の側面から入射される光は、その殆どが、臨界角よりも大きい入射角で第１の低屈折率部１３または第２の低屈折率部１５に到達するので、導光部１１と第１，第２の低屈折率部１３，１５との界面に到達した光は、全反射する。
【００４７】
光調整部１５ａは、図７の拡大断面図に示すように、導光部１１よりも光の屈折率が低い合成樹脂等を微細なドットパターン状に形成してなる。光調整部１５ａは、地部１４のうち光調整部１５ａが形成されず導光部１１と接する個所とともに光の出射効率を変化させる。
具体的には、導光部１１内を進行する第１の光Ｌａは、光調整部１５ａに到達すると全反射されてさらに導光部１１内を外周側に向かって進行し、地部１４に到達すると拡散されて背景部１０２から出射され背景部１０２を照明する。これら光調整部１５ａと地部１４とが形成される面積割合に応じて、導光部１１内を反射する光の量及び導光部１１外に出射される光の量を調整して光の出射効率を変化させることができる。低屈折率部材である光調整部１５ａの面積割合を多くすると、導光部１１内を反射する光の量が多くなり、拡散部材である地部１４の面積割合を多くすると、導光部１１外に出射される光の量が多くなる。第１光源６１からの光が入射する内壁入光部１１１ａの近傍に光調整部１５ａを形成することで、背景部１０２の内壁入光部１１１ａの近傍においては光の出射量を抑制して導光部１１の外周側まで進行する光を増加させ、外周側の背景部１０２まで良好に照明することができる。
【００４８】
模様部１５ｂは、図５に示すように、光調整部１５ａよりも導光部１１の外周側に、導光部１１よりも光の屈折率が低い合成樹脂等を光調整部１５ａのドットよりも大きく、その形状を視認者が確認できる程度の大きさで部分的に形成して、所定の第２の意匠（模様、記号あるいは絵）を表すものである。模様部１５ｂによる第２の意匠は、後で詳述するように第１光源６１が点灯する場合にのみ視認者に視認される意匠である。第２の意匠は、指標部１０１と異なる意匠であれば良いが、本実施形態においては図８（ｂ）に示すように、ドット状の模様部分と蝶を表した絵部分とからなる。模様部１５ｂのうちドット状の模様部分は、入光部である内壁入光部１１１ａから遠のく方向（導光部１１の外周側）に向かって徐々にその密度が低く（本実施形態においては低屈折率部材からなるドットが徐々に小さく）なるように形成される。
【００４９】
遮光部１６は、導光部１１の外側表示領域Ｅ２の裏面に、黒色などの暗色の遮光性のインク等を用いて、印刷，塗装等により塗りつぶして形成される。また、遮光部１６は、第２光源６２と対向する個所に第１警告部１０３を構成する孔部１６ａが形成されている。なお、孔部１６ａにあるいは孔部１６ａを裏面側から覆うように暗色の半透過部を設けてもよい。
【００５０】
次に、図８を用いて第１光源６１の非点灯、点灯に伴う内側表示領域Ｅ１の視認状態を説明する。なお、図８（ａ）は第１光源６１が非点灯である場合の導光文字板１０を示し、図８（ｂ）は第１光源６１が点灯している場合の導光文字板１０を示している。
まず、第１光源６１が非点灯である場合は、導光部１１内に第１の光Ｌａが入射せず、背景部１０２が照明されない。このとき、視認者は、図７（ａ）に示すように、背景部１０２（地部１４）とは異なる色の指標部１０１のみを視認することができる。
これに対し、第１光源６１が点灯する場合は、導光部１１内に第１の光Ｌａが入射し、導光部１１内を進行するとともに地部１４で拡散して背景部１０２が照明される。このとき、背景部１０２において、低屈折率部材である光調整部１５ａ及び模様部１５ｂが形成されて第１の光Ｌａを反射する個所と、光調整部１５ａ及び模様部１５ｂが形成されず地部１４によって第１の光Ｌａが拡散される個所とで輝度差が生じる。すなわち、光調整部１５ａ及び模様部１５ｂが形成された個所が地部１４ａによって第１の光Ｌａが拡散される個所よりも輝度が低く（暗く）なる。これによって、視認者は、図７（ｂ）に示すように、指標部１０１に加えて模様部１５ｂを視認することができる。なお、視認者は、光調整部１５ａも視認することとなるが、模様部１５ｂをより注視するため光調整部１５ａも意匠の一部として認識させることができる。
【００５１】
第１警告部１０３は、外側表示領域Ｅ２に設けられ、導光文字板１０の裏面に位置する第２光源６２から出射される第２の光Ｌｂを透過する孔部１６ａによって構成されるものであり、第２光源６２から出射された第２の光Ｌｂが拡散や反射等されずに直接出射されるので、高輝度で表示でき、視認者の目を引くことができる。
【００５２】
第２警告部１０４は、内側表示領域Ｅ１に設けられ、第１警告部１０３と同様に、導光文字板１０の裏面に位置する第３光源６３から出射される第３の光Ｌｃを透過する孔部１４ａによって構成されるものであり、第３光源６３から出射された第３の光Ｌｃが拡散や反射等されずに直接出射されるので、高輝度で表示でき、視認者の目を引くことができる。
【００５３】
本実施形態の導光文字板１０は、第１光源６１からの光を内部に取り込む内壁入光部１１１ａを有し、内壁入光部１１１ａから取り込んだ第１の光Ｌａを導く面状の導光部１１と、
導光部１１の表面側に形成され、第１の意匠を表す指標部１０１（遮光部１２ａ）を有する意匠表示部１２と、
導光部１１と意匠表示部１２との間に形成され、導光部１１よりも光の屈折率が低い第１の低屈折率部１３と、
導光部１１の裏面側に形成され、導光部１１が導く光を拡散し、前記第１の意匠とは異なる色の背景を表す地部１４と、
導光部１１と地部１４との間に形成され、地部１１とともに光の出射効率を変化させる光調整部１５ａと前記第１の意匠とは異なる第２の意匠を表す模様部１５ｂとを有する第２の低屈折率部１５と、を備えてなる。
また、前記第２の意匠は、模様、記号あるいは絵の少なくとも何れかを含む。
【００５４】
これによれば、非点灯時に視認される指標部１０１による第１の意匠に加えて、第１光源６１の点灯に伴って模様部１５ｂによる第２の意匠を視認者に視認させることができ、光源の点灯に伴って斬新な表現が可能となる。また、模様部１５ｂが注視されることによって、背景部１０２が照明される構成において光調整部１５ａによって光の出射効率を変化させる場合であっても、光調整部１５ａによる照明ムラを目立たなくすることができる。
【００５５】
また、模様部１５ｂは、内壁入光部１１１ａ側から遠のく方向に向かってその密度が低くなるように形成されてなる。
これによれば、模様部１５ｂを形成する場合であっても、第１の光Ｌａを入射側と反対側の背景部１０２の端部まで良好に照明することができ、端部における輝度ムラを低減することができる。
【００５６】
本実施形態の表示装置１は、導光文字板１０と、光を出射する第１光源６１と、導光文字板１０が有する指標部１０１（遮光部１２ａ）を指示する指針４０と、第１光源６１及び指針４０を制御する制御部を有する回路基板５０と、回路基板５０と導光文字板１０との間に設けられ導光文字板１０を支持するケース体２０と、を備えてなる。
【００５７】
これによれば、第１光源６１の非点灯時に視認される指標部１０１に加えて、第１光源６１の点灯に伴って模様部１５ｂを視認者に視認させることができ、光源の点灯に伴って斬新な表現が可能となる。また、模様部１５ｂが注視されることによって、背景部１０２が照明される構成において光調整部１５ａによって光の出射効率を変化させる場合であっても、光調整部１５ａによる照明ムラを目立たなくすることができる。
【００５８】
本発明は、前述の実施形態に限定されるものではなく、発明の要旨を逸脱しない範囲内で適宜構成部材の変更（一部の削除を含む）が可能であることはもちろんである。
本実施形態において、導光文字板１０は、第１挿入部１１２及び第２挿入部１１３によって内側表示領域Ｅ１と外側表示領域Ｅ２とを区画するものであったが、内側表示領域Ｅ１に沿って（円弧状に）、絞り加工などによって導光文字板１０を表側に突出するように湾曲させて突出部を設け、この突出部によって内側表示領域Ｅ１と外側表示領域Ｅ２とを区画するものであってもよい。この場合、装飾部材８０は不要である。また、本実施形態において、導光文字板１０は、第１光源６１からの光を中央に設けられる内壁入光部１１１ａから導光部１１内に取り込む構成であったが、入光部は導光部１１の外側壁部に設けられてもよい。
【００５９】
また、本実施形態において、模様部１５ｂは第２の意匠としてドット状の模様部分と蝶を表した絵部分とを表すものであったが、第２の意匠はこれに限定されない。例えば、第２の意匠として、図９に示すような円状の縞模様を表す模様部（第２の意匠部）１５ｃを設けてもよい。また、第２の意匠として、図１０に示すような格子模様を表す模様部（第２の意匠部）１５ｄを設けてもよい。また、第２の意匠として、図１１に示すような音符記号を含む絵部（第２の意匠部）１５ｅを設けてもよい。また、本発明の第２の意匠部は光調整部の一部を兼ねるものであってもよいし、光調整部の中に第２の意匠部が含まれる（光調整部と第２の意匠部が混在する）ものであってもよい。
【産業上の利用可能性】
【００６０】
本発明は、光源から出射された光を導光部にて導いて意匠表示部等を照明する表示部材と、この表示部材を備える表示装置に関するものである。
【符号の説明】
【００６１】
１    表示装置
１０    導光文字板
１１    導光部
１２    意匠表示部
１２ａ  遮光部
１２ｂ  透光部
１３    第１の低屈折率部
１４    地部
１５    第２の低屈折率部
１５ａ  光調整部
１５ｂ  模様部
２０    ケース体
３０    導光体
４０    指針
５０    回路基板
６０    光源
７０    ムーブメント
７１    指針軸
８０    装飾部材
９０    表示器
１０１    目盛部
１０２    背景部
１０３    第１警告部
１０４    第２警告部
１０５    表示窓
１１１    指針軸挿通孔
１１１ａ  内壁入光部
【図１】
2015011827.tif 000003
【図２】
2015011827.tif 000004
【図３】
2015011827.tif 000005
【図４】
2015011827.tif 000006
【図５】
2015011827.tif 000007
【図６】
2015011827.tif 000008
【図７】
2015011827.tif 000009
【図８】
2015011827.tif 000010
【図９】
2015011827.tif 000011
【図１０】
2015011827.tif 000012
【図１１】
2015011827.tif 000013